(57)【要約】【課題】衛生器具類の床下配管に接続設置ができ、小型化された大容量の吸気量を確保した着脱可能な排水用低位通気弁を提供する。【解決手段】排水管継ぎ手に接続される片ねじパイプ５と本体１とが、ねじ込み式で形成され、排水管内に負圧が生じると、弁体３が開弁し、通気口２より外気を導入する。本体１と保護蓋６との間に環状の隙間が空いており、接続口径の断面積以上の吸気量を確保できる。そして排水管内が満水状態になった場合も、弁体下部に取付けられた浮力材１１及びバネ１０により弁体３を通気口２に押圧することにより漏水を防ぐ構成を特徴とする。【選択図】図３
2014119111.tif 000002
【特許請求の範囲】
【請求項１】
排水管及び排水通気管に接続され、その配管内に負圧が生じた際、本体に内蔵された環状の弁体が、吸気量を自動調整しながら筒状の本体内部を下降することにより開弁し、外気を環状の通気口より排水管に導入して排水管に接続された器具類の排水トラップ（封水）の破壊を防ぎ、排水管内が静圧になると弁体下部に取付けられたバネの弾性力によって弁体を上昇させ、弁体を通気口下部に取り付けられているＯリングに押圧することにより室内への下水道の悪臭漏れや排水管内から来る害虫の侵入を防ぐことを特徴とした排水用低位通気弁。
【請求項２】
前記弁体の下部に浮力材を取付けて、排水管内がなんらかの要因（詰まり等）で満水になった場合でも、前記弁体下部に取付けた浮力材と弁体下部に取付けられたバネの弾性力により排水管内の排水が溢れ出ない構造の請求項１の排水用低位通気弁。
【請求項３】
前記環状の通気口と、それを覆い被せる様に取付いている保護蓋との間に取付けた防虫網を備えた請求項２の排水用低位通気弁。
【請求項４】
前記筒状の本体下部に取付けられた内ねじソケットが排水管に接続された継ぎ手に直接接続される片ねじパイプにねじ込み着脱できる請求項３の排水用低位通気弁。
【請求項５】
前記環状の通気口から、環状の弁体の昇降により外気導入されてなる請求項１〜４のいずれかに記載の排水用低位通気弁。
【発明の詳細な説明】
【技術分野】
【０００１】  本発明は、住宅建物等に付随する衛生器具排水配管に取付けるもので、排水管内が負圧を生じた時に外気を取り入れるために用いられる排水通気弁に関する。
【背景技術】
【０００２】  前記衛生器具は下水道からくる悪臭や害虫を防ぐために、Ｓ字形やＰ字形や碗形等の排水トラップ（封水）を設けている。【０００３】  しかしながら排水管内に大量の排水が流されると排水管内が負圧になることがあり排水トラップに溜めてある残留排水が排水管内に引っ張られて封水破壊が起こり下水道からの悪臭や害虫等が室内に入ってくることがあった。【０００４】  排水トラップの封水破壊を防ぐために排水管に伸頂通気管やループ通気方式等を設けられている。【０００５】  前記ループ通気方式とは、２個以上の衛生器具排水トラップを保護するために、排水横主管又、枝管の最上流末端器具排水接続部と次の下流器具排水接続部の間から通気管を分岐立上げし伸頂通気管に接続するか、単独で外気に開放するものである。【０００６】  また排水通気管の配管ルートが確保しにくい場合には排水通気弁を排水横主管又、枝管の最上流末端器具排水接続部と次の下流器具排水接続部の間に排水通気弁を取付けるものもある。【０００７】  前記でいう排水通気弁とは、排水管内が静圧のときは弁が閉じていて排水管内が負圧になると開弁して排水トラップ内の残留排水の封水破壊を防ぐものである。
【先行技術文献】
【特許文献】
【０００８】
【特許文献１】  特開２０１１−５２７４５号公報
【発明の概要】
【発明が解決しようとする課題】
【０００９】  この様な排水通気弁は小型設計にはなっているが、排水管接続口径の断面積に対して十分な断面積を確保されることがなく、故に通気不足が考えられる。【００１０】  昨今の住宅建物として図７の様に建築物の階高さを低く抑えており、且つ室内の天井高さを高く設計するものが一般的で上階にある衛生器具配管が下階の天井内に配管されており、極めて狭いスペースに収めるため所望の姿勢で設置できない場合がある。【００１１】  また定期点検及び清掃・交換ができる構造の通気弁はさらに通気弁本体の笠が増してしまい取付及び点検交換が困難である。
【課題を解決するための手段】
【００１２】  以上の課題を解決するために、本発明に係る排水用低位通気弁は排水管と接続する接続口と外気を導入する通気口で形成されており、その本体内部に内蔵された環状の弁体３の自動開閉により安定した外気導入することができる。外気を取り入れる図３通気口２に防虫網９を設けて外気導入時にゴミや虫等の侵入を防ぎ、且つ片ねじパイプ５を排水管に接続し筒状の本体１の下に内ねじソケット４を取付、５と４をねじ込むことにより着脱可能を特徴とする。【００１３】  排水管内が負圧になると、環状の弁体３が自動的に開弁し、ガイドバー１２を設置するにより安定したスムーズな昇降運動が可能になる。【００１４】  前記環状の弁体３に自動開閉する為のバネ１０を固定し、バネ１０の弾性応力により通気口２の下に取付けられたＯリング８に弁体３が押圧されることにより、臭気漏れを防ぐ。【００１５】  また、排水管が何らかの原因で排水管内が満水状態になったとしても、環状の弁体３に取付けられたバネ１０の弾性力と弁体３下部に取付けられた浮力材１１の浮力作用により環状の弁体３を通気口に確実に押圧されることにより、外部に排水が漏れない構造になっている。【００１６】  保護蓋６を筒状本体１に覆い被せることで、ゴミ詰まりによる通気不足や臭気漏れ等が起きず永年安定した弁開閉作用が期待できる。【００１７】  更に、図３筒状本体１及び保護蓋６を偏平構造とし、それとそれとの間にできた隙間を接続口径以上の断面積にし、大容量の通気量を確保すると共に図７の本発明通気弁本体２０の高さを極めて低くし、図７の様な狭小スペースでも取付け可能で、且つ着脱可能構造となっている。
【発明の効果】
【００１８】  本発明によれば、弁体を自動開閉し、且つ大容量の通気量を確保し、小スペースな場所でも取付け及び、着脱可能な排水用低位通気弁が得られる。
【図面の簡単な説明】
【００１９】
【図１】  本発明の実施例の排水低位通気弁の平面図である。
【図２】  本発明の実施例の排水低位通気弁の正面図である。
【図３】  本発明の実施例の排水低位通気弁の開弁時の構成及び構造を説明した側面断面図である。
【図４】  本発明の実施例の排水低位通気弁の閉弁時の構成及び構造を説明した側面断面図である。
【図５】  本発明の実施例の排水低位通気弁の斜視図である。
【図６】  本発明の実施例の排水低位通気弁の分解斜視図である。
【図７】  住宅建物の構造と排水配管及び本発明の排水低位通気弁の関係を表した側面図である。
【符号の説明】
【００２０】  １  本体
２  通気口
３  弁体
４  内ねじソケット
５  片ねじパイプ
６  保護蓋
７  支柱
８  Ｏリング
９  防虫網
１０  バネ
１１  浮力材
１２  ガイドバー
１３  平パッキン
１４  便器
１５  手洗器
１６  排水横枝管
２０  排水用低位通気弁
ａ  梁
ｂ  大引き
ｃ  柱
ｄ  床
ｅ  下階天井
【図１】
2014119111.tif 000003
【図２】
2014119111.tif 000004
【図３】
2014119111.tif 000005
【図４】
2014119111.tif 000006
【図５】
2014119111.tif 000007
【図６】
2014119111.tif 000008
【図７】
2014119111.tif 000009